(57)【要約】【課題】タッチパネルセンサーの狭額縁化を実現する。【解決手段】タッチセンサーパネル１は、横方向配線領域３と縦方向配線領域４とを検出領域２の各端辺で折り曲げ可能に構成されている。【選択図】図１
2014002540.tif 000002
【特許請求の範囲】
【請求項１】
入力手段の接近または接触によって、座標情報を検出するための検出領域と、
前記検出領域に形成された電極と、フレキシブルプリント基板とを電気的に接続する配線が形成された配線領域であって、前記検出領域の少なくとも１つの端辺に沿って、前記検出領域の外側に設けられた配線領域とを有し、
前記配線領域は、前記検出領域の前記端辺において、折り曲げ可能に構成されていることを特徴とするタッチパネルセンサー。
【請求項２】
前記配線領域は、少なくとも、前記検出領域の隣り合う２つの端辺に沿って設けられ、当該２つの端辺に沿って設けられた２つの配線領域の間には、切れ込みが形成されていることを特徴とする請求項１に記載のタッチパネルセンサー。
【請求項３】
請求項１または２に記載のタッチパネルセンサーと、
前記タッチパネルセンサーと一体化され、情報を表示する表示パネルとを備え、
前記配線領域は、前記検出領域の前記端辺において、折り曲げられていること
を特徴とする情報処理装置。
【請求項４】
前記フレキシブルプリント基板と、前記タッチパネルセンサーを制御する制御回路とをさらに備え、
前記電極と前記制御回路とは、前記配線およびフレキシブルプリント基板を介して接続され、
前記制御回路は、前記表示パネルの背面側に配置されていること
を特徴とする請求項３に記載の情報処理装置。
【請求項５】
請求項２に記載のタッチパネルセンサーと、
前記タッチパネルセンサーと一体化され、情報を表示する表示パネルと、
前記フレキシブルプリント基板と、前記タッチパネルセンサーを制御する制御回路とを備えた情報処理装置であって、
前記２つの配線領域のそれぞれには、前記配線にフレキシブルプリント基板を接続した接続領域が形成され、
当該接続領域が、情報処理装置の同一の側面上に並置され、かつ、前記制御回路は、前記表示パネルの背面側に配置されるように、前記２つの配線領域が、前記検出領域の前記端辺において、折り曲げられていること
を特徴とする情報処理装置。
【発明の詳細な説明】
【技術分野】
【０００１】
本発明は、タッチパネルセンサーおよびそれを備えた情報処理装置に関し、特にタッチパネルセンサーの配線処理に関する。
【背景技術】
【０００２】
近年、表示パネル上に配置されたタッチセンサーに対してペン形状の筆記具や指先等の入力手段を近接または接触させることによって、タッチセンサー上における入力手段の位置を示す座標等の入力を行うシステムが多用されている。タッチセンサーで座標情報を検知する方式としては、従来から抵抗膜方式、電磁誘導方式、静電容量方式、超音波方式、光学方式等の各種方式が知られている。
【０００３】
下掲の特許文献１には、従来の静電容量方式のタッチセンサーの一例として、透明タブレット座標入力装置が開示されている。
【０００４】
図１２は、上記透明タブレット座標入力装置を示す概略平面図であり、図１３は、上記透明タブレット座標入力装置を示す概略断面図である。
【０００５】
図１２に示すように、従来のタッチセンサーパネル１０１は、Ｘ及びＹ座標軸に沿ってガラス基板１０３上に配設された複数の透明電極線１０２を有する透明ガラスタブレット１０１と、及びこれらを接続するＦＰＣ（Ｆｌｅｘｉｂｌｅ  Ｐｒｉｎｔｅｄ  Ｃｉｒｃｕｉｔｓ）基板１０４と透明ガラスタブレット１０１の各透明電極線１０２と静電容量結合する入力ペン１０５とを備えている。
【０００６】
さらに、最端部の透明電極線１０２より外側において、ＦＰＣ基板１０４の上面に、入力ペン１０５と静電容量結合する補助の電極線１０６が形成されている。
【０００７】
このようなタッチセンサーパネルを組み込んだ情報処理装置において、座標情報を検出するための検出領域の外の領域を極力小さくする（狭額縁化）ために、図１３に示すように、ＦＰＣ基板１０４をガラス基板１０３の縁に沿って折り曲げたりカールさせたりすることが、特許文献１に記載されている。
【先行技術文献】
【特許文献】
【０００８】
【特許文献１】特開平１１−１５４０５３号公報（１９９９年６月８日公開）
【発明の概要】
【発明が解決しようとする課題】
【０００９】
しかしながら、特許文献１の構成では、情報処理装置の狭額縁化が不十分であるという問題がある。
【００１０】
すなわち、図１３に示すように、ガラス基板１０３の端部における電極取り出し部にＦＰＣ基板１０４を、導電性接着剤１０７を用いて接着するための額縁領域を確保することが欠かせない。
【００１１】
本発明は、上記の問題に鑑みて、ＦＰＣ基板を接続するための額縁領域を極力小さくし、小型化を図ることのできるタッチパネルセンサーの構成を提供することを目的とする。
【課題を解決するための手段】
【００１２】
上記の課題を解決するために、本発明に係るタッチパネルセンサーは、
(1)入力手段の接近または接触によって、座標情報を検出するための検出領域と、
(2)前記検出領域に形成された電極と、フレキシブルプリント基板とを電気的に接続する配線が形成された配線領域であって、前記検出領域の少なくとも１つの端辺に沿って、前記検出領域の外側に設けられた配線領域とを有し、
(3)前記配線領域は、前記検出領域の前記端辺において、折り曲げ可能に構成されていることを特徴としている。
【００１３】
上記の構成によれば、本発明に係るタッチパネルセンサーでは、検出領域とフレキシブルプリント基板との間に、従来には無かった配線領域を設け、配線領域に形成した配線を介して、検出領域の電極とフレキシブルプリント基板とを電気的に接続している。
【００１４】
したがって、検出領域の外側に、フレキシブルプリント基板を前記電極に接続するための額縁領域を確保する必要がない。
【００１５】
しかも、前記配線領域は、前記検出領域の端辺において、折り曲げ可能に構成されているので、配線領域を検出領域の端辺において折り曲げた状態では、タッチパネルセンサーの面積を、検出領域の面積にほぼ等しくすることができる。
【００１６】
すなわち、タッチパネルセンサーの小型化を図ることができる。
【００１７】
なお、前記タッチパネルセンサーでは、前記配線領域を構成している絶縁性フィルムは、前記検出領域を構成している絶縁性フィルムと同一であり、連続していてもよい。
【００１８】
上記の構成によれば、検出領域における電極の形成工程と、配線領域における配線の形成工程とを、同一の絶縁性フィルムを用いて同時に行うことができる。したがって、検出領域を構成する絶縁性フィルムと、配線領域を構成する絶縁性フィルムとを、別部材とする形態と比較して、タッチパネルの製造が容易になるので、タッチパネルセンサーのコストダウンを図ることができる。
【００１９】
本発明に係るタッチパネルセンサーでは、前記配線領域は、少なくとも、前記検出領域の隣り合う２つの端辺に沿って設けられ、当該２つの端辺に沿って設けられた２つの配線領域の間には、切れ込みが形成されていることを特徴としている。
【００２０】
上記の構成において、検出領域の隣り合う２つの端辺に沿って２つの配線領域を設けた場合、それらの配線領域がひとつながりに連続しているとすると、２つの端辺の境界において、各配線領域を折り曲げる際に余りが発生し、折り曲げることが困難になる。
【００２１】
これに対し、上記の構成によれば、前述したように、前記配線領域は、前記検出領域の前記端辺において、折り曲げ可能に構成されていることを前提として、２つの配線領域の間に、切れ込みを形成するので、各配線領域を、検出領域の対応する端辺に沿って折り曲げることが容易になる。
【００２２】
本発明に係る情報処理装置は、
(1)前記いずれかのタッチパネルセンサーと、
(2)前記タッチパネルセンサーと一体化され、情報を表示する表示パネルとを備え、
(3)前記配線領域は、前記検出領域の前記端辺において、折り曲げられていることを特徴としている。
【００２３】
上記の構成によれば、情報処理装置の正面の面積は、検出領域の面積と実質的に等しくなるので、小型の情報処理装置を提供することができる。
【００２４】
本発明に係る情報処理装置は、
(1)前記フレキシブルプリント基板と、前記タッチパネルセンサーを制御する制御回路とをさらに備え、
(2)前記電極と前記制御回路とは、前記配線およびフレキシブルプリント基板を介して接続され、
(3)前記制御回路は、前記表示パネルの背面側に配置されていることを特徴としている。
【００２５】
上記の構成によれば、前記配線領域を検出領域の端辺に沿って折り曲げたことにより、タッチパネルセンサーを制御する制御回路を、表示パネルの背面側に配置することができる。この結果、制御回路を設ける領域を情報処理装置に別途確保する必要がないため、制御回路が情報処理装置の小型化を損なうという問題が生じない。
【００２６】
本発明に係る情報処理装置は、
(1)２つの配線領域が設けられた前記タッチパネルセンサーと、
(2)前記タッチパネルセンサーと一体化され、情報を表示する表示パネルと、
(3)前記フレキシブルプリント基板と、前記タッチパネルセンサーを制御する制御回路とを備えた情報処理装置であって、
(4)前記２つの配線領域のそれぞれには、前記配線にフレキシブルプリント基板を接続した接続領域が形成され、
(5)当該接続領域が、情報処理装置の同一の側面上に並置され、かつ、前記制御回路は、前記表示パネルの背面側に配置されるように、前記２つの配線領域が、前記検出領域の前記端辺において、折り曲げられていることを特徴としている。
【００２７】
上記の構成によれば、検出領域の隣り合う２つの端辺に沿って設けられた２つの配線領域のそれぞれに、配線にフレキシブルプリント基板を接続した接続領域を形成した場合、２つの接続領域を、情報処理装置の同一の側面上に並置することができる。
【００２８】
これにより、表示パネルの背面側に配置した制御回路と前記配線とをフレキシブルプリント基板を介して接続することが容易になる。
【発明の効果】
【００２９】
本発明は、タッチパネルセンサーの検出領域の外側に配線領域を設け、検出領域の端辺において、配線領域を折り曲げ可能に構成したので、フレキシブルプリント基板のための額縁領域が不要になり、タッチパネルセンサーの小型化を図ることができるという効果を奏する。
【図面の簡単な説明】
【００３０】
【図１】本発明の実施形態に係る、タッチセンサーパネルの折り曲げ前の状態を示す平面図である。
【図２】上記タッチセンサーパネルに設けられた配線領域の拡大図である。
【図３】本発明の実施形態に係る、情報処理装置を示す斜視図である。
【図４】図３のＡ−Ａ線に沿って切断した上記情報処理装置の模式的な断面図である。
【図５】上記情報処理装置の底面図である。
【図６】本発明の他の実施形態に係る、タッチセンサーパネルの折り曲げ前の状態を示す平面図である。
【図７】本発明の他の実施形態に係る、情報処理装置を示す斜視図である。
【図８】図７のＢ−Ｂ線に沿って切断した上記情報処理装置の模式的な断面図である。
【図９】上記情報処理装置の底面図である。
【図１０】本発明のさらに他の実施形態に係る、タッチセンサーパネルの折り曲げ前の状態を示す平面図である。
【図１１】図１０に示すタッチセンサーパネルの配線領域を折り曲げる工程を概略的に示す斜視図である。
【図１２】従来のタッチパネルの構成を示す概略図である。
【図１３】従来のタッチパネルの断面図である。
【発明を実施するための形態】
【００３１】
以下、本発明の実施の形態について、詳細に説明する。
【００３２】
〔実施形態１〕
本発明のタッチパネルセンサーに関する実施の一形態について図１〜図５に基づいて説明すれば以下のとおりである。
【００３３】
（タッチパネルセンサーの構成の概要）
図１は、本発明の実施形態に係る、タッチセンサーパネルの折り曲げ前の状態を示す平面図である。図１に示すように、タッチセンサーパネル１は、検出領域（タッチセンサーアクティブ領域）２と、検出領域２の少なくとも１つの端辺に沿って、検出領域２の外側に設けられた配線領域（配線引き出し領域）３または配線領域４とを有している。
【００３４】
検出領域２は、指またはスタイラスのようなポインター（入力手段）の接近または接触によって、座標情報を検出するための領域である。
【００３５】
配線領域については、図１または後述する図６に示すように、複数の配線領域が設けられていてもよいが、少なくとも１つの横方向配線領域３または縦方向配線領域４が設けられた形態も、本発明に含まれる。
【００３６】
横方向配線領域３には、検出領域２の横方向に形成された電極と、フレキシブルプリント基板としての横方向ＦＰＣ７とを電気的に接続する配線が形成されている。同様に、縦方向配線領域４には、検出領域２の縦方向に形成された電極と、縦方向ＦＰＣ８とを電気的に接続する配線が形成されている。
【００３７】
横方向配線領域３および縦方向配線領域４は、いずれも、検出領域２の各端辺において、折り曲げ可能に構成されている。
【００３８】
したがって、検出領域２の外側に、フレキシブルプリント基板を上記電極に接続するための額縁領域を確保する必要がない。しかも、横方向配線領域３（縦方向配線領域４）は、検出領域２の端辺において、折り曲げ可能に構成されているので、横方向配線領域３（縦方向配線領域４）を検出領域２の端辺において折り曲げた状態では、タッチパネルセンサー１の面積を、検出領域２の面積にほぼ等しくすることができる。すなわち、タッチパネルセンサー１の小型化を図ることができる。
【００３９】
（タッチパネルセンサーの具体的な構成）
上記検出領域２には、導電膜である銅箔が絶縁性フィルム上に成膜されており、エッチングすることにより導電性のセンサーパターン（図示せず）が形成されている。
【００４０】
前記、センサーパターンは電極線形状となるように５ｍｍピッチ程度の短冊状にエッチングされ、例えば検出領域２の縦座標に沿って配列された複数の電極線として構成されている。そのセンサーパターンに対し、他のセンサーパターンが絶縁層を挟んで貼り合わされている。他のセンサーパターンでは、検出領域２の横座標に沿って配列された複数の電極線が、縦座標に沿って配列された複数の電極線と９０度ずれて設けられている。
【００４１】
また、縦方向の各電極線の下端部は、タッチセンサーパネル１の外部から信号を検出したり、または検出領域２をドライブするために、縦方向配線領域４に、縦方向の電極線と同様に形成された銅配線パターンを経由して、縦方向ＦＰＣ接続領域６に接続されている。
【００４２】
さらに、縦方向ＦＰＣ接続領域６では、導電性接着剤により隣り合う配線同士がショートすることなく、縦方向ＦＰＣ８と圧着接続されている。したがって、本実施形態によれば、ＦＰＣ接続領域６は、従来のように、検出領域２の額縁領域に設けられるのではなく、縦方向配線領域４の辺縁に設けられている。
【００４３】
同様に、横方向の各電極線の右端部は、横方向配線領域３に、横方向の電極線と同様に形成された銅配線パターンを経由して、横方向ＦＰＣ接続領域５に接続されている。横方向ＦＰＣ接続領域５では、導電性接着剤により隣り合う配線同士がショートすることなく、横方向ＦＰＣ７と圧着接続されている。
【００４４】
（配線の詳細な構成）
図２は、タッチセンサーパネル１に設けられた配線領域の拡大図であり、説明の便宜上、検出領域２の縦方向に１０本の電極線（センサーライン）を配置した場合を示している。各電極線は、検出領域２から縦方向配線領域４に形成された配線を経由して縦方向ＦＰＣ接続領域６に接続されている。
【００４５】
縦方向配線領域４の各配線は、縦方向に延び出した後、デザインルールに則り等間隔に、横方向に延伸されている。図２において、縦方向ＦＰＣ８を圧着するために必要な縦方向ＦＰＣ接続領域６の縦幅を５ｍｍとして、配線１本の幅を１０μｍ、配線間隔を１００μｍとするデザインルールがあるとする。この場合、縦方向配線領域４の縦幅は、配線に必要な縦幅が１ｍｍ（１１０μｍ×１０本−１００μｍ)となるので、合計６ｍｍ（５ｍｍ＋１ｍｍ）となる。
【００４６】
ここで、仮にタッチパネルセンサーの大型化に伴い、配線数が１００になったとすると、配線に必要な縦幅が１０．９ｍｍ（１１０μｍ×１００本−１００μｍ)となるので、縦方向配線領域４の縦幅は最低でも１５．９ｍｍ必要となる。
【００４７】
なお、縦方向ＦＰＣ接続領域６を、図示した状態より左にずらすことで配線に必要な縦幅を１／２まで狭めることは可能であるが、配線数の増加に伴い縦方向配線領域４の縦幅が広がることには変わりはない。
【００４８】
しかしながら、本実施形態の構成によれば、縦方向配線領域４の縦幅が広がっても、タッチセンサーパネル１のサイズには影響がなく、タッチセンサーパネル１の面積を、検出領域２の面積と同等、あるいはほぼ同等に維持することができる。
【００４９】
（２つの配線領域を隣り合わせた形態）
検出領域２に縦方向の電極線と横方向の電極線とを設けたタッチセンサーパネル１では、図１に示すように、通常、検出領域２の隣り合う２つの端辺に沿って、２つの横方向配線領域３および縦方向配線領域４（以下、単に、配線領域３および４と呼ぶ）を設けることになる。これら２つの配線領域３および４は、同一の絶縁性フィルムによって形成されている。
【００５０】
したがって、配線領域３および４が連続した状態では、検出領域２の２つの端辺の境界において、配線領域３および４を折り曲げる際に余りが発生し、折り曲げることが困難になる。
【００５１】
そこで、配線領域３および４を、それぞれの端辺において折り曲げることができるように、横方向配線領域３と縦方向配線領域４との間に切れ込み９が入っている。なお、折り曲げが容易にできさえすれば、切れ込み９の本数および形状は問わない。
【００５２】
（情報処理装置の構成）
図３は、本実施形態に係る、情報処理装置（タッチパネルセンサー入力システム）１１を示す斜視図であり、図４は、図３のＡ−Ａ線に沿って切断した情報処理装置１１の模式的な断面図である。また、図５は、情報処理装置１１の底面図である。
【００５３】
図３および図４に示すように、情報処理装置１１は、上記のように形成されたタッチセンサーパネル１を表示パネル１０の上に乗せ、配線領域３および４を検出領域２の各端辺で折り曲げた構成となっている。
【００５４】
さらに、タッチセンサーパネル１による座標情報の検出と、タッチセンサーパネル１の駆動とを含む制御処理を担う制御回路（コントローラＩＣ）１２が、図４および図５に示すように、表示パネル１０の背面側に固定され、横方向ＦＰＣ７および縦方向ＦＰＣ８が、表示パネル１０の背面側において、制御回路１２と接続されている。
【００５５】
このように、表示パネル１０の背面側を、制御回路１２の配設に活用することによって、情報処理装置１１に、制御回路１２の配設のための領域を別途設けることを不要としている。これにより、制御回路１２の配設が、情報処理装置１１のサイズに影響を与えないので、情報処理装置１１の正面の面積を検出領域２の面積と同等、またはほぼ同等とすることができる。したがって、情報処理装置１１の究極的な小型化を実現することができる。
【００５６】
〔実施形態２〕
本発明のタッチパネルセンサーに関する他の実施形態について、図６〜図９に基づいて説明すれば、以下のとおりである。
【００５７】
（タッチパネルセンサーの構成）
図６は、本実施形態に係る、タッチセンサーパネルの折り曲げ前の状態を示す平面図であり、特に５０インチ超の大型のタッチセンサーパネルを想定している。
【００５８】
タッチセンサーパネル５０は、タッチセンサーパネル１と基本的に同じ構成を備えているが、大型であるが故に以下の点で、前記実施形態と異なっている。
【００５９】
すなわち、縦横方向共に検出領域５１の中央で各電極線が切断されており、縦方向の電極線は、検出領域５１の上方向に延びる電極線と、検出領域５１の下方向に延びる電極線とに分割されている。同様に、横方向の電極線は、検出領域５１の右方向に延びる電極線と、検出領域５１の左方向に延びる電極線とに分割されている。
【００６０】
このため、検出領域５１の上方向に延びる電極線は、検出領域５１の上端から、上縦方向配線領域５５を経由して、上縦方向ＦＰＣ接続領域５９に接続されている。さらに、上縦方向ＦＰＣ接続領域５９では、導電性接着剤により、隣り合う配線同士がショートすることなく上縦方向ＦＰＣ６３と接続されている。
【００６１】
同様に、検出領域５１の下方向に延びる電極線は、検出領域５１の下端から、下縦方向配線領域５４を経由して、下縦方向ＦＰＣ接続領域５８に接続されている。さらに、下縦方向ＦＰＣ接続領域５８では、導電性接着剤により、隣り合う配線同士がショートすることなく、下縦方向ＦＰＣ６２と接続されている。
【００６２】
同様に、検出領域５１の左方向に延びる電極線は、検出領域５１の左端から、左横方向配線領域５３を経由して、左横方向ＦＰＣ接続領域５７に接続されている。さらに、左横方向ＦＰＣ接続領域５７では、導電性接着剤により、隣り合う配線同士がショートすることなく、左横方向ＦＰＣ６１と接続されている。
【００６３】
同様に、検出領域５１の右方向に延びる電極線は、検出領域５１の右端から、右横方向配線領域５２を経由して、右横方向ＦＰＣ接続領域５６に接続されている。さらに、右横方向ＦＰＣ接続領域５６では、導電性接着剤により、隣り合う配線同士がショートすることなく、右横方向ＦＰＣ６０と接続されている。
【００６４】
上記のような構成にすることによって画面を分割することができ、上下方向、または左右方向から信号を検出したり、またはタッチセンサーパネル５０をドライブすることが可能となり、センサーの応答速度が改善される。
【００６５】
また、配線領域５２〜５５は、同一の絶縁性フィルムを用いて形成されているので、検出領域５１の４つの端辺のそれぞれで配線領域５２〜５５を折り曲げることができるように、隣り合う配線領域の間には、切れ込み６４が入っている。なお、折り曲げが容易にできさえすれば、切れ込み６４の本数および形状は問わない。
【００６６】
（情報処理装置の構成）
図７は、本実施形態に係る、情報処理装置７０を示す斜視図であり、図８は、図７のＢ−Ｂ線に沿って切断した情報処理装置７０の模式的な断面図である。また、図９は、情報処理装置７０の底面図である。
【００６７】
図７および図８に示すように、情報処理装置７０は、上記のように形成されたタッチセンサーパネル５０を表示パネル６５の上に乗せ、配線領域５２〜５５を検出領域５１の各端辺で折り曲げた構成となっている。
【００６８】
さらに、タッチセンサーパネル５０による座標情報の検出と、タッチセンサーパネル５０の駆動とを含む制御処理を担う制御回路６６および制御回路６７が、図８および図９に示すように、表示パネル６５の背面側に固定され、制御回路６６には下縦方向ＦＰＣ６２および右横方向ＦＰＣ６０が接続されている一方、制御回路６７には上縦方向ＦＰＣ６３および左横方向ＦＰＣ６１が接続されている。なお、制御回路６６と制御回路６７とは、同期動作用信号線６８によって接続され、相互に連繋を取るようになっている。
【００６９】
このように、表示パネル６５の背面側を、制御回路６６および６７の配設に活用することによって、情報処理装置７０に、制御回路６６および６７の配設のための領域を別途設けることを不要としている。これにより、制御回路６６および６７の配設が、情報処理装置７０のサイズに影響を与えないので、情報処理装置７０の正面の面積を検出領域５１の面積と同等、またはほぼ同等とすることができる。
【００７０】
さらに、タッチセンサーパネル５０の大型化によって、配線数が増えたとしても、検出領域５１の４辺のそれぞれに配線領域を設けることによって、１つの配線領域あたりの配線密度の増大を抑えている。
【００７１】
したがって、情報処理装置７０の究極的な小型化を実現することができる。
【００７２】
〔実施形態３〕
本発明のタッチパネルセンサーに関するさらに他の実施形態について、図１０および図１１に基づいて説明すれば、以下のとおりである。
【００７３】
図１０は、本実施形態に係る、タッチセンサーパネルの折り曲げ前の状態を示す平面図である。図１１は、図１０に示すタッチセンサーパネルの配線領域を折り曲げる工程を概略的に示す斜視図である。
【００７４】
図１０に示すように、タッチセンサーパネル８０は、検出領域８１の隣り合う２つの端辺に沿って２つの横方向配線領域８２および縦方向配線領域８３が設けられている。
【００７５】
検出領域８１の横方向に延びる電極線は、横方向配線領域８２に形成された配線を介してＦＰＣ接続領域８４に接続されている。また、検出領域８１の縦方向に延びる電極線は、縦方向配線領域８３に形成された配線を介してＦＰＣ接続領域８５に接続されている。
【００７６】
横方向配線領域８２の縦幅は、検出領域８１の縦幅と縦方向配線領域８３の縦幅との合計に等しく設定されている。また、ＦＰＣ接続領域８４は、横方向配線領域８２において、縦方向配線領域８３に隣接した部位に形成されている。この部位は、横方向配線領域８２および縦方向配線領域８３を構成する同一の絶縁性フィルムのコーナー部ともいえる。
【００７７】
さらに、横方向配線領域８２および縦方向配線領域８３を、それぞれ検出領域８１の端辺で折り曲げることができるように、横方向配線領域８２と縦方向配線領域８３との境界線に沿って、言い換えると、横方向配線領域８２が設けられた検出領域８１の端辺の延長線に沿って、切り込み８６が入っている。
【００７８】
また、縦方向配線領域８３が設けられた検出領域８１の端辺の延長線は、横方向配線領域８２における折り線８７になっている。
【００７９】
上記のように構成されたタッチセンサーパネル８０を備えた情報処理装置９０では、図１１（ａ）（ｂ）に示すように、前記実施形態と同様に、横方向配線領域８２および縦方向配線領域８３を検出領域８１の各端辺で折り曲げ、さらに、横方向配線領域８２を前記折り線８７で折り曲げることによって、ＦＰＣ接続領域８４を形成した部位を縦方向配線領域８３に重ね合わせている。
【００８０】
この結果、２つのＦＰＣ接続領域８４および８５は、情報処理装置９０の同一側面上に並置されることになる。また、２つのＦＰＣ接続領域８４および８５を上記同一側面の下辺に沿って並置することができる。
【００８１】
この構成の場合、情報処理装置９０の背面側に配置する制御回路とＦＰＣとを、ＦＰＣ接続領域８４および８５を介して接続することが容易になるとともに、情報処理装置９０の背面側における制御回路の配置の柔軟性が増大する。
【００８２】
図３および図５に示す形態の場合、制御回路１２の縦方向と横方向と（すなわち、交差する２方向）からＦＰＣを接続する必要がある。このため、情報処理装置１１の背面側における制御回路１２の位置を動かすためには、タッチセンサーパネル１を再設計（ＦＰＣ接続領域の位置の調整）するか、あるいは直線的ではない複雑な形状のＦＰＣを使用する必要がある。言い換えると、タッチセンサーパネル１を再設計しない、あるいは複雑な形状のＦＰＣを使用しないのであれば、制御回路１２の配置は固定されてしまう。
【００８３】
なお、複雑な形状のＦＰＣを使用すると高コストとなり、接続も煩雑になる。
【００８４】
一方、図１１に示す形態では、制御回路の縦方向のみからＦＰＣを接続すればよいので、直線的なＦＰＣの長さを調整するだけで、制御回路の縦方向の位置を自在に調整することができる。
【００８５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００８６】
本発明は、ポインターの接近または接触の位置情報を検出するタッチパネルセンサー、およびタッチパネルセンサーを備えた情報処理装置全般に利用することができる。
【符号の説明】
【００８７】
１，５０，８０  タッチセンサーパネル
２，５１，８１  検出領域
３  横方向配線領域
４  縦方向配線領域
５  横方向ＦＰＣ接続領域（接続領域）
６  縦方向ＦＰＣ接続領域（接続領域）
７  横方向ＦＰＣ（フレキシブルプリント基板）
８  縦方向ＦＰＣ（フレキシブルプリント基板）
９，６４  切れ込み
１１，７０，９０  情報処理装置
１２，６６，６７  制御回路
５２  右横方向配線領域
５３  左横方向配線領域
５４  下縦方向配線領域
５５  上縦方向配線領域
５６  右横方向ＦＰＣ接続領域
５７  左横方向ＦＰＣ接続領域
５８  下縦方向ＦＰＣ接続領域
５９  上縦方向ＦＰＣ接続領域
６０  右横方向ＦＰＣ
６１  左横方向ＦＰＣ
６２  下縦方向ＦＰＣ
６３  上縦方向ＦＰＣ
８２  配線領域
８３  配線領域
８４  ＦＰＣ接続領域
８５  ＦＰＣ接続領域
８６  切り込み
【図１】
2014002540.tif 000003
【図２】
2014002540.tif 000004
【図３】
2014002540.tif 000005
【図４】
2014002540.tif 000006
【図５】
2014002540.tif 000007
【図６】
2014002540.tif 000008
【図７】
2014002540.tif 000009
【図８】
2014002540.tif 000010
【図９】
2014002540.tif 000011
【図１０】
2014002540.tif 000012
【図１１】
2014002540.tif 000013
【図１２】
2014002540.tif 000014
【図１３】
2014002540.tif 000015